(57)【要約】      （修正有）【課題】開いた本のページ押さえを前後に動かせるようにすることで、効率よく本が置ける書見台を提供する。【解決手段】陶器またはプラスチック製のドーム型の脚を２個並べて、下部の水平に設けた通し孔にステンレス針金を水平に串刺しに通し、その両端の突き出た部分を丸めてリングを形成する。ドームの頂点から垂直に設けられた孔に別の山形食パン状に曲げたステンレス針金を刺して背もたれとする。又、別の針金を曲げて、二つの山形を並べて作り、左右を後方に折り曲げて、該リングに通して、ページ押さえとする。【選択図】図１１
2010115457.tif 000002
【特許請求の範囲】
【請求項１】
直径５５ｍｍの球３分の２のドームを陶器またはプラスチックで２個作成し、その頂点ＡとＢ、下部から８ｍｍ上の４５度間隔対称点ＣとＤとＥおよびＦとＧとＨに直径２．１ｍｍの丸穴を開ける。次に直径２ｍｍ長さ７７ｃｍほどのステンレス金属丸棒の左先端を曲げながら丸めて直径１ｃｍほどの小リングの輪にする。続いて同棒の右先端を３分の２球ドームとの間隔を５ミリとりＣ穴に通し、中央で９０度曲がりＤ穴に通し水平に山形食パン状に曲げ、他方のドームのＧ穴に通し横幅８ｃｍ高さ７ｃｍほどにする。続いてその先を中央で上に曲げ頂点Ｂ穴に通し山形食パン状に曲げ他方のドームのＡ穴に通し高さ７ｃｍ幅８ｃｍほどにし、中央で９０度曲がり、Ｅ穴を通し、続いて他のドームのＦ穴とＨ穴に通す。ここでドームから出た先端をドームとの間隔を５ミリとり上にくるりと曲げて直径１センチのリングを作る。ドームがプラスチックの場合は紙粘土などをドームの中に詰めて重くする。これを背もたれ枠とする。
次に、同丸棒を７０センチ使いその先端を折り曲げ、直径１ｃｍほどのリング輪を作り、輪の先端を斜め上に３ｃｍほど延ばしながら下に曲げ短径２ｃｍ弱の変形楕円状に湾曲させ雲形を作る。雲形手前の底辺は上にあるリング輪の下辺に接するようにし、この接点をＬとするが、Ｌから５ｃｍほど進んだＪ点から上に曲げ高さ４ｃｍ幅２５ｍｍほどの山形になるよう進んで、山形の右下をさらに同方向に伸ばし９ｃｍほど進んだとこで同じ山形を作り、右足元Ｋから５ｃｍほど進み左辺の雲形と同じに雲形を作る。ついでＪとＫを直角水平に曲げる。この結果、中央に９ｃｍの直線その両脇に高さ４ｃｍの山形、左辺と右辺に雲形を付けた金属棒枠ができる。さらにこの２個の山形を向こう側に３０度傾ける。これをページ押さえとする。
次に、背もたれ枠の下部両脇のリング輪の隙間を少し開き、ページ押さえ枠の左右の雲形下辺をはめ込みリング輪を閉じる。これでページ押さえ枠は背もたれ枠足下のリングを通って前後に動かせるようになる。本を置くときは、このページ押さえ枠の接点Ｌの隙間を背もたれ枠のリングの上部に通して雲形の奥にあたるまで背もたれ枠を引き出すのである。本を置かないときはこの逆を行ってページ押さえ枠を押し戻すのである。以上のように構成される金属棒新型書見台。
【請求項２】
請求項１で構成されている本金属棒新型書見台の背もたれ枠に関して、３分の２球ドームを使わないで、その代わりに紙粘土を饅頭状に丸めて食パン型金属棒枠の足元ＬとＭに押し込んで取り付けた金属棒新型書見台。
【発明の詳細な説明】
【技術分野】
【０００１】本考案は、金属棒を使って、開いた本のページ押さえを前後に動かせるようにした新型書見台である。
【背景技術】
【０００２】    従来書見台は木製でかさばりデザイン的にも単調で物足らない。本考案は金属細棒を使用した新型で、かさばる背板を使わず、金属棒のページ押さえを前後に動かす事によって、効率よく本を置けるようにした。
【発明の開示】
【発明が解決しようとする課題】
【０００３】    今までに無い新型にし、金属棒枠を背もたれとページ押さえにし、普段はページ押さえの出っ張りを収納しといて、本を置く時に、前に出すようにしたい。
【課題を解決するための手段】
【０００４】  本考案は一本の金属棒を折り曲げて金造棒枠を２個作り、それらを組み合わせて動かすように工夫し課題を解決している。
【発明の効果】
【０００５】金属棒枠が本の背もたれになり、山形出っ張りつき金属棒枠で開いた本がめくれないように本の下部を押さえることが出来る。本を置かない時は縮めてコンパクトに出来る。小中高校生が教科書を開いて置くのに非常に都合がいい。従来、教科書を開いて机の上に置くと、ページが動いてしまい、筆箱などで抑えていた。さらに、昔からある書見台は型が古臭く野暮ったく好まれず、ほとんど使われていなかったが、この新型書見台は斬新的なデザインですこぶる好まれた。朝起きるとついついこの書見台に目がいってしまい、勉強意欲をくすぐられ、机の前に座ってしまい、勉強するようになり、成績が上がるものが多くなった。
【発明を実施するための最良の形態】
【０００６】  枠の材料は加工がしやすい程度のやわらかさと形がくずれない硬さを兼ね備える直径２ミリほどのステンレス丸棒が最も良い。土台は陶器、紙粘土など重いもので変形球型が良い。
【実施例】
【０００７】直径２ミリのステンレス丸棒を７７センチ用意し、その両端を内側にくるりと曲げて、直径１センチほどの小リングを左右に作る。次にリング左先端から４５ミリの点Ｍから右回りで山形に曲げ、高さ１０センチ、底辺幅７５ミリの山形を作る。この山形の右足元Ｎから上に垂直に曲げ、左回りで高さ１３センチ底辺幅７５ミリの山形食パン状を作る。この山形の左足元はＭ点に接するが、そこでＭ点の下をくぐり、右側にまっすぐ進み、Ｎ点で山形右辺の上に接しながら通過する。これで背もたれ枠の出来上がりである。
次に、同丸棒を７０センチ使い、両端に雲形を作る。先ず、左先端を内側にくるりと曲げ、直径１センチほどのリング輪を作る。この輪の先端を斜め上に３センチほど進めながら下に曲げ短径２ｃｍ弱の変形楕円状に湾曲させ雲形を作る。右側先端にも同様の雲形を作る。右雲形手前の底辺は上にあるリング輪の下辺に接するようにし、この接点をＬとするが、Ｌから５センチほど進んだ点Ｊから上に行き、高さ４５ミリ幅２５ミリほどの山形を作る。左側にも同様の山形を作る。
次に左右の山形の足元ＪとＫを内側水平に直角に曲げる。２個の山形を雲形のほうに３０度ほど傾ける。これでページ抑え枠の出来上がりである。
次に、背もたれ枠の下部両脇のリング輪の始点の隙間を少し開いて、このページ抑え枠の左右の雲形下辺をはめ込み、前後に動かせるようにしリング輪を閉じる。
次に、ページ抑え枠を手前に引き出した状態で背もたれ枠の山形食パン状の縦枠の足元ＭとＮに紙粘土を丸めて３分の２球型の土台を付ける。
【産業上の利用可能性】
【０００８】  かさばる背板を使用せず、金属細棒の枠を用いるので材料が少ない。全体がコンパクトで外観が美しい。金属棒枠のみをメーカーが製作し、土台部分は紙粘土そのままをつけ置き、両者をセットにして教材などとして販売することが出来る。土台の彩色、描画、写真貼り付けなどを自由に出来る。こうすれば、本書見台製作上の難点である土台固定過程が簡単になるので、省エネにつながる。
【図面の簡単な説明】
【０００９】
【図１】  本考案による金属棒新型書見台の土台となる３分の２球ドームの平面図
【図２】  同正面図である。
【図３】  本考案による金属棒新型書見台の背もたれ枠の平面図である。
【図４】  同正面図である。
【図５】  同側面図である。
【図６】  本考案による金属棒新型書見台のページ押さえ枠に使う金属棒の両端に山形と雲形を付けた状態を示す正面図である。
【図７】  本考案による金属棒新型書見台のページ押さえ枠の正面図である。
【図８】  ページ押さえ枠の平面図である。
【図９】  ページ押さえ枠の側面図である。
【図１０】  同斜め正面図である。
【図１１】  本考案による金属棒新型書見台のページ押さえ枠を背もたれ枠にはめ込んだ状態を示す斜め正面図である。
【図１】
2010115457.tif 000003
【図２】
2010115457.tif 000004
【図３】
2010115457.tif 000005
【図４】
2010115457.tif 000006
【図５】
2010115457.tif 000007
【図６】
2010115457.tif 000008
【図７】
2010115457.tif 000009
【図８】
2010115457.tif 000010
【図９】
2010115457.tif 000011
【図１０】
2010115457.tif 000012
【図１１】
2010115457.tif 000013